(57)【特許請求の範囲】
【請求項１】
複数のスラットを連装してなるシャッターカーテンを巻き取りドラムに巻装してなる建築用シャッターにおいて、前記巻き取りドラムに、シャッターカーテンが連結され、シャッターカーテンの巻形を円形状に補正するリング状の補正リングを嵌着するにあたり、補正リングには、一方端部と他方端部とがオーバーラップする状態で分断する分断部と、両端部が周回り方向に拡開する方向に弾性変形する弾性変形部とが設けられていて、前記補正リングを、弾性変形部の弾性変形に基づく分断部の拡開で巻き取りドラムに対して径方向外方から組み込む構成とする一方、一方端部は、巻き取りドラムに対して周回り方向の係止がなされるものであり、一方端部と他方端部とには、前記オーバーラップする状態で互いに係止して周回り方向の抜止めがなされるよう該一方端部と他方端部とを連結するための係止手段が設けられているシャッターカーテン巻き取り装置における補正リング。
【請求項２】
複数のスラットを連装してなるシャッターカーテンを巻き取りドラムに巻装してなる建築用シャッターにおいて、前記巻き取りドラムに、シャッターカーテンが連結され、シャッターカーテンの巻形を円形状に補正するリング状の補正リングを嵌着するにあたり、補正リングには、一方端部と他方端部とがオーバーラップする状態で分断する分断部と、両端部が周回り方向に拡開するよう揺動する揺動部とが設けられていて、前記補正リングを、揺動部の揺動に基づく分段部の拡開で巻き取りドラムに対して径方向外方から組み込む構成とする一方、一方端部は、巻き取りドラムに対して周回り方向の係止がなされるものであり、一方端部と他方端部とには、前記オーバーラップする状態で互いに係止して周回り方向の抜止めがなされる状態で該一方端部と他方端部とを連結する係止手段が設けられているシャッターカーテン巻き取り装置における補正リング。
【請求項３】
分断部の係止手段は、一方端部に形成された係止受け部と、他方端部に形成された係止部との抜止め状の係止で構成されている請求項１または２の何れか一項に記載のシャッターカーテン巻き取り装置における補正リング。
【請求項４】
巻き取りドラムは、外周に軸芯方向に長い固定用長溝が形成されるものとし、補正リングの分断部における一方端部には、前記固定用長溝に係止する係止爪が内径方向に向けて突出形成されている請求項３に記載のシャッターカーテン巻き取り装置における補正リング。
【請求項５】
係止爪は、固定用長溝に嵌合し、補正リングを巻き取りドラムに一体化する止め螺子が螺合する螺子受けプレートの保持片に兼用されている請求項４に記載のシャッターカーテン巻き取り装置における補正リング。
【請求項６】
巻き取りドラムは、外周に軸芯方向に長い長溝が周回り方向複数形成され、補正リングの内径側面には、前記長溝に係合する回り止め片が突出形成されている請求項１乃至５の何れか一項に記載のシャッターカーテン巻き取り装置における補正リング。
【請求項７】
補正リングは、分断部における他方端部側に段差部が形成され、他方端部から直接一方端部へ向かう周回り方向が、シャッターカーテンの巻き出し方向に設定されている請求項３乃至６の何れか一項に記載のシャッターカーテン巻き取り装置における補正リング。
【請求項８】
補正リングの分断部における一方端部側には、板厚を薄くして積極的に弾性変形する肉薄部が形成されている請求項３乃至７の何れか一項に記載のシャッターカーテン巻き取り装置における補正リング。
【請求項９】
複数のスラットを連装してなるシャッターカーテンを巻き取りドラムに巻装してなる建築用シャッターにおいて、前記巻き取りドラムに、シャッターカーテンが連結され、シャッターカーテンの巻形を円形状に補正するリング状の補正リングを嵌着するにあたり、補正リングは、一方端部と他方端部とがオーバーラップする状態で分断する分断部と、両端部が周回り方向に拡開する方向に弾性変形する弾性変形部とが設けられたものとして、補正リングを、弾性変形部の弾性変形に基づいて分断部が拡開した状態で巻き取りドラムに対し径方向外方から組み込んだ後、一方端部を巻き取りドラムに対し周回り方向の係止をし、しかる後、一方端部と他方端部とを、該一方端部と他方端部とに設けた係止手段により前記オーバーラップする状態で互いに係止して周回り方向の抜止めがなされるよう連結したシャッターカーテン巻き取り装置における補正リングの取り付け方法。
【請求項１０】
複数のスラットを連装してなるシャッターカーテンを巻き取りドラムに巻装してなる建築用シャッターにおいて、前記巻き取りドラムに、シャッターカーテンが連結され、シャッターカーテンの巻形を円形状に補正するリング状の補正リングを嵌着するにあたり、補正リングは、一方端部と他方端部とがオーバーラップする状態で分断する分断部と、両端部が周回り方向に拡開するよう揺動する揺動部とが設けられたものとして、補正リングを、揺動部の揺動に基づいて分段部を拡開した状態で巻き取りドラムに対して径方向外方から組み込んだ後、一方端部を巻き取りドラムに対し周回り方向の係止をし、しかる後、一方端部と他方端部とを、該一方端部と他方端部とに設けた係止手段により前記オーバーラップする状態で互いに係止して周回り方向の抜止めがなされるよう連結したシャッターカーテン巻き取り装置における補正リングの取り付け方法。
【発明の詳細な説明】
【技術分野】
【０００１】
本発明は、建築物の開口部等に建付けられるシャッターカーテン巻き取り装置における補正リングおよびその取り付け方法の技術分野に属するものである。
【背景技術】
【０００２】
一般に、住宅の車庫や倉庫の出入り口部等、建築物の開口部に建付けられる建築用シャッターにおいては、複数枚のスラットを連装して構成されたシャッターカーテンを、開口部上方に設けた巻き取りドラムに連結して巻装し、該巻き取りドラムの正逆回転によりシャッターカーテンの巻き出し、巻き取りをして、開口部の開閉をするように構成したものがある。このようなものにおいて、真円状の巻き取りドラムにシャッターカーテンを巻装する場合、巻き取りドラムに巻き取られたシャッターカーテンの巻形は、巻き取りドラムとシャッターカーテンとの連結部の段差がそのまま突出して滑らかな円形状とはならない。このような巻き形状のものでは、巻き取りドラムの重量バランスが偏り、このため、シャッターカーテンを開閉操作する際に、操作力が不安定となり、円滑、かつ、静粛な開閉作動が損なわれてしまうという不具合がある。
【０００３】
この改善策として、巻き取りドラムとシャッターカーテンとのあいだに、巻形を補正する補正リングを設けて、巻形をできる限り円形状に近付けるようにしたものが提唱されている。前記補正リングの一例として、外周に段差部を設けて、該段差部から偏芯した外径を有した傾斜面を形成した補正リングとし、該補正リングを、巻き取りドラムの軸芯方向複数箇所に外嵌せしめ、補正リングの段差部に、シャッターカーテンを構成する最上端のスラットの上縁部を突き当てるように連結することで、該最上端スラット連結部における外径と段差部の外径とが略同寸法となり、巻形に偏りがでないようにしている。
【特許文献１】特開平１１−５０７６７号公報
【発明の開示】
【発明が解決しようとする課題】
【０００４】
ところが、前記従来のものは、補正リングが予めリング形状に形成されているが故に、巻き取りドラムに外嵌装着する場合に、巻き取りドラムの軸芯方向一端側から嵌め込んで、予め設定される取り付け位置にまでスライド移動させ、巻き取りドラムに固定するようにしている。このため、巻き取りドラムが左右方向に長いものでは、補正リングを所定の取り付け位置にまで移動させる作業が面倒であり、改善が求められている。
さらに、補正リングは、巻き取りドラムに回り止め状に固定されるものであり、このため、固定作業の簡略化を考慮すると、補正リングにスラットをあてがった状態とし、補正リングをスラットとともに巻き取りドラムに固定することが提唱されるが、この場合には、補正リングを巻き取りドラムに回り止め状に保持する構成とすることで作業性の向上を図れるが、このような構成についての示唆は何らなされておらず、これらに本発明の解決すべき課題がある。
【課題を解決するための手段】
【０００５】
本発明は、上記の如き実情に鑑みこれらの課題を解決することを目的として創作されたものであって、請求項１の発明は、複数のスラットを連装してなるシャッターカーテンを巻き取りドラムに巻装してなる建築用シャッターにおいて、前記巻き取りドラムに、シャッターカーテンが連結され、シャッターカーテンの巻形を円形状に補正するリング状の補正リングを嵌着するにあたり、補正リングには、一方端部と他方端部とがオーバーラップする状態で分断する分断部と、両端部が周回り方向に拡開する方向に弾性変形する弾性変形部とが設けられていて、前記補正リングを、弾性変形部の弾性変形に基づく分断部の拡開で巻き取りドラムに対して径方向外方から組み込む構成とする一方、一方端部は、巻き取りドラムに対して周回り方向の係止がなされるものであり、一方端部と他方端部とには、前記オーバーラップする状態で互いに係止して周回り方向の抜止めがなされるよう該一方端部と他方端部とを連結するための係止手段が設けられているシャッターカーテン巻き取り装置における補正リングである。
請求項２の発明は、複数のスラットを連装してなるシャッターカーテンを巻き取りドラムに巻装してなる建築用シャッターにおいて、前記巻き取りドラムに、シャッターカーテンが連結され、シャッターカーテンの巻形を円形状に補正するリング状の補正リングを嵌着するにあたり、補正リングには、一方端部と他方端部とがオーバーラップする状態で分断する分断部と、両端部が周回り方向に拡開するよう揺動する揺動部とが設けられていて、前記補正リングを、揺動部の揺動に基づく分段部の拡開で巻き取りドラムに対して径方向外方から組み込む構成とする一方、一方端部は、巻き取りドラムに対して周回り方向の係止がなされるものであり、一方端部と他方端部とには、前記オーバーラップする状態で互いに係止して周回り方向の抜止めがなされる状態で該一方端部と他方端部とを連結する係止手段が設けられているシャッターカーテン巻き取り装置における補正リングである。
請求項３の発明は、分断部の係止手段は、一方端部に形成された係止受け部と、他方端部に形成された係止部との抜止め状の係止で構成されている請求項１または２の何れか一項に記載のシャッターカーテン巻き取り装置における補正リングである。
請求項４の発明は、巻き取りドラムは、外周に軸芯方向に長い固定用長溝が形成されるものとし、補正リングの分断部における一方端部には、前記固定用長溝に係止する係止爪が内径方向に向けて突出形成されている請求項３に記載のシャッターカーテン巻き取り装置における補正リングである。
請求項５の発明は、係止爪は、固定用長溝に嵌合し、補正リングを巻き取りドラムに一体化する止め螺子が螺合する螺子受けプレートの保持片に兼用されている請求項４に記載のシャッターカーテン巻き取り装置における補正リングである。
請求項６の発明は、巻き取りドラムは、外周に軸芯方向に長い長溝が周回り方向複数形成され、補正リングの内径側面には、前記長溝に係合する回り止め片が突出形成されている請求項１乃至５の何れか一項に記載のシャッターカーテン巻き取り装置における補正リングである。
請求項７の発明は、補正リングは、分断部における他方端部側に段差部が形成され、他方端部から直接一方端部へ向かう周回り方向が、シャッターカーテンの巻き出し方向に設定されている請求項３乃至６の何れか一項に記載のシャッターカーテン巻き取り装置における補正リングである。
請求項８の発明は、補正リングの分断部における一方端部側には、板厚を薄くして積極的に弾性変形する肉薄部が形成されている請求項３乃至７の何れか一項に記載のシャッターカーテン巻き取り装置における補正リングである。
請求項９の発明は、複数のスラットを連装してなるシャッターカーテンを巻き取りドラムに巻装してなる建築用シャッターにおいて、前記巻き取りドラムに、シャッターカーテンが連結され、シャッターカーテンの巻形を円形状に補正するリング状の補正リングを嵌着するにあたり、補正リングは、一方端部と他方端部とがオーバーラップする状態で分断する分断部と、両端部が周回り方向に拡開する方向に弾性変形する弾性変形部とが設けられたものとして、補正リングを、弾性変形部の弾性変形に基づいて分断部が拡開した状態で巻き取りドラムに対し径方向外方から組み込んだ後、一方端部を巻き取りドラムに対し周回り方向の係止をし、しかる後、一方端部と他方端部とを、該一方端部と他方端部とに設けた係止手段により前記オーバーラップする状態で互いに係止して周回り方向の抜止めがなされるよう連結したシャッターカーテン巻き取り装置における補正リングの取り付け方法である。
請求項１０の発明は、複数のスラットを連装してなるシャッターカーテンを巻き取りドラムに巻装してなる建築用シャッターにおいて、前記巻き取りドラムに、シャッターカーテンが連結され、シャッターカーテンの巻形を円形状に補正するリング状の補正リングを嵌着するにあたり、補正リングは、一方端部と他方端部とがオーバーラップする状態で分断する分断部と、両端部が周回り方向に拡開するよう揺動する揺動部とが設けられたものとして、補正リングを、揺動部の揺動に基づいて分段部を拡開した状態で巻き取りドラムに対して径方向外方から組み込んだ後、一方端部を巻き取りドラムに対し周回り方向の係止をし、しかる後、一方端部と他方端部とを、該一方端部と他方端部とに設けた係止手段により前記オーバーラップする状態で互いに係止して周回り方向の抜止めがなされるよう連結したシャッターカーテン巻き取り装置における補正リングの取り付け方法である。
【発明の効果】
【０００６】
請求項１または２の発明とすることにより、補正リングの巻き取りドラムへの嵌着を容易に、しかも、リング状体とした状態で取り付けることができ、作業性が向上する。
請求項３の発明とすることにより、補正リングに分断部が形成されているものであり、しかも、一箇所のみを固定する構成でありながら、一体的なリング状体として巻き取りドラムに固定することができ、固定作業を容易にすることができる。
請求項４の発明とすることにより、巻き取りドラムへの嵌着時に補正リングの回り止め、および、周回り方向の位置決めができて、嵌着作業の作業性が一層向上するうえ、他方端部一箇所の固定で分断部の両端部における巻き取りドラムの軸芯方向の位置決めを行うことができ、巻き取られたシャッターカーテンが補正リングとともに巻きズレしてしまうような不具合を防止できる。
請求項５の発明とすることにより、部材の兼用化を図れるうえ、作業性の一層の改善が図れる。
請求項６の発明とすることにより、補正リングの巻き取りドラムに対する周回り位置がずれてしまうような不具合を防止できる。
請求項７の発明とすることにより、補正リングの分断部における連結を一層確実にできる。
請求項８の発明とすることにより、補正リングの嵌着作業の作業性の一層の改善が図れる。
請求項９または１０の発明とすることにより、補正リングの巻き取りドラムへの嵌着を容易に、しかも、リング状体とした状態で取り付けることができ、作業性が向上する。
【発明を実施するための最良の形態】
【０００７】
つぎに、本発明の第一の実施の形態について、図面に基づいて説明する。
図面において、１は建築物の開口部に建付けられる建築用シャッターのシャッターカーテンであって、該シャッターカーテン１は、左右方向長尺状に形成されたスラット２を用いて構成されており、各スラット２の上下の縁部には連結部２ａ、２ｂがそれぞれ折曲形成され所定のスラット厚Ｔを有したものに構成されており、これら連結部２ａ、２ｂ同士を例えばインターロック結合する等して連結することにより、シャッターカーテン１を構成するように設定されている。このように構成されたシャッターカーテン１は、開口部上部に固定されたシャッターケース３に回転自在に内装される巻き取り装置を構成する巻き取りドラム４に連結されており、該巻き取りドラム４の正逆回転駆動に伴い、巻き取りドラム４に巻き取られて開口部を開放する開放姿勢と、巻き取りドラム４から巻き出されて開口部を閉鎖する全閉姿勢とのあいだを姿勢変姿して、開口部の開閉作動を行うように設定されており、これらの基本構成は、何れも従来通りに構成されている。
尚、５はシャッターカーテン１の左右両側縁部を移動案内するガイドレールである。
【０００８】
前記巻き取りドラム４は、シャッターケース３を構成する左右ブラケット３ａに固定支持される固定軸４ａと、該固定軸４ａに一体的に外嵌し、固定軸４ａに回転自在に支持される巻き胴４ｂと、一端が固定軸４ａに固定され他端が巻き胴４ｂに固定される図示しないバランス弾機等を用いて構成されている。そして、巻き胴４ｂは、長尺状金属製板材を折曲することによりリング状に形成されており、外周には、内径方向に向けて凹状であり、軸芯方向に長い第一、第二長溝４ｃ、４ｄが、本実施の形態ではあわせて六本形成されている。前記第一長溝４ｃは一本だけ形成されるものであり、巻き胴４ｂの外周面側となる溝開口に開口片４ｅを備えた形状に形成されており、本発明の固定用長溝に相当している。そして、第一長溝４ｃは、後述する補正リング６の巻き取りドラム４への固定用として機能するように設定されており、残り五本の第二長溝４ｄ（本発明の長溝に相当する）は、補正リング６の巻き取りドラム４に対する回り止めとして機能するように設定されるが、これら長溝４ｃ、4ｄを形成することにより、巻き胴４ｂの強度アップが図られている。
【０００９】
さて、前記補正リング６は、シャッターカーテン１と巻き取りドラム４との一体的な連結部に介装される部材であって、巻き取りドラム４（巻き胴４ｂ）の外周に一体的に外嵌（嵌着）するように構成されている。
前記補正リング６は、樹脂材により所定幅を有したリング状体を一箇所において分断した形状に形成されており、該分断部Ｓとなる長手方向一方の端部（本発明の一方端部）６ａと他方の端部（本発明の他方端部）６ｂと、これらのあいだの本体部６ｃとを備えて構成されている。そして、前記両端部６ａ、６ｂ同士を把持して互いに離間する方向に押しやることで本体部６ｃが弾性変形し、両端部６ａ、６ｂのあいだに（分断部Ｓが分断して）大きな隙間が形成される拡開状態となり、また、両端部６ａ、６ｂ同士を後述するように係止させることでリング状に連結されるように構成されている。
【００１０】
前記分断部Ｓの一方端部６ａには、端面を周回り方向に凹設する状態の係止凹部（本発明の係止受け部）６ｄが形成されており、該係止凹部６ｄの開口端部には、幅方向両端部から開口を塞ぐ方向を向いて延出する一対の係止片６ｅが形成され、係止凹部６ｄを蟻溝形状にしている。さらに、一方端部６ａの内周面には、幅方向両端部に内径側に向けて突出する一対の係止爪６ｆが形成されている。また、前記分断部Ｓの他方の端部６ｂには、前記蟻溝状の係止凹部６ｄに内嵌するべく、幅方向に膨出する係止突部（本発明の係止部）６ｇが形成されており、該係止突部６ｇを前記係止凹部６ｄに内嵌させることにより両端部６ａ、６ｂ同士の連結がなされるが、この状態において、係止突部６ｇの幅方向膨出部が係止片６ｅに係止することで、周回り方向の抜け止めがなされた状態で連結されるように設定されており、該構成が本発明の係止手段に相当している。尚、補正リング６の一方端部６ａから本体部６ｃを経由して他方端部６ｂに至る周長は、巻き胴４ａ（巻き取りドラム４）の外周長さよりも連結部における長さ分だけ長く形成されている。さらに、係止突部６ｇには、巻き取りドラム４に固定するための止め螺子７が貫通するための貫通孔６ｈが開設されている。
尚、補正リング６の分断部Ｓにおける両端部６ａ、６ｂは、本体部６ｃよりも板厚が厚く形成され、これによって、該部位における弾性変形は生じにくくなるとともに、周回り方向の抜け止めが確実になされるようにしている。
【００１１】
そして、補正リング６は、前記一方、他方端部６ａ、６ｂ同士を連結した状態で、巻き胴４ｂ（巻き取りドラム４）の外周面に沿う内径となるように設定されるが、このようにリング状に連結した状態において、補正リング６は、図３（Ｂ）に示すように、本体部６ｃの外周面における他方端部６ｂ側に位置し、外径側に突出する段差部６ｉが形成されており、該段差部６ｉから本体部６ｃ側に向けて次第に小径となる傾斜面６ｊに形成されている。
因みに、段差部６ｉの突出量、そして、補正リング６の径方向の厚さ（外径）は、シャッターカーテン１を構成するスラット２のスラット厚Ｔにより設定されるものであり、スラットの種類によって適宜寸法設定される。
【００１２】
さらに、本体部６ｃの内周面には、巻き胴４ｂの外周に形成された第二長溝４ｄのうち、第一長溝４ｃの周回り方向両側の二つづつの第二長溝４ｄに嵌入可能な都合四つの回り止め片６ｋが内径側に突出状に形成されている。さらに、これら回り止め片６ｋのうち、一方端部６ａ側に位置する二つの回り止め片６ｋのあいだには、内周側を切り落とすことで肉薄部６ｍが形成されている。これによって、補正リング６は、図４において明らかなように、肉薄部６ｍと本体部６ｃにある二箇所の弾性変形部の積極的な弾性変形により、一方端部６ａ側の半部において弾性変形し易くなるように構成されている。これに対し、外周に傾斜面６ｊが形成されている部位、即ち、他方端部６ｂ側に位置する二つの回り止め片６ｋのあいだには、幅方向に長い幅方向リブ６ｎが形成され、さらに、前記二つの回り止め片６ｋのあいだ、および、回り止め片６ｋと段差部６ｉとのあいだには、リング幅方向中央部に位置して内径側に突出する周回り方向リブ６ｐが形成されている。これによって、補正リング６は、他方端部６ｂ側の半部において弾性変形がしにくくなるように構成されている。
【００１３】
つぎに、前記補正リング６を巻き取りドラム４に装着（外嵌）する手順を、図４、５の図面に基づいて説明する。
補正リング６を巻き取りドラム４の予め設定される長手方向（軸芯方向）任意の装着位置に嵌着させる場合に、まず、両端部６ａ、６ｂを弾性変形させる状態で拡開させ、図４（Ａ）に示すように、巻き取りドラム４の前記装着位置において径方向外方からあてがい、一方端部６ａに形成される係止爪６ｆを巻き胴４ｂに形成される第一長溝４ｃに嵌入させ、これによって、補正リング６を周回り方向の係止がなされた状態とする。このとき、一方端部６ａ側を、前記二箇所の弾性変形部の積極的な弾性変形に基づいて大きく変形させることにより、他方端部６ｂ側の半部の変形が殆どない状態であっても、係止爪６ｆを第一長溝４ｃに嵌入させることができる。
尚、第一長溝４ｃには、予め補正リング６の嵌着部位に位置して螺子受けプレート８が嵌入されているが、該螺子受けプレート８は、第一長溝４ｃの溝開口に形成された開口片４ｅにより外径方向への抜け止めがなされるように設定されている。そして、補正リング６は、一対の係止爪６ｆが螺子受けプレート８を跨ぐようにして第一長溝４ｃに嵌入するように設定されており、これによって、螺子受けプレート８は、係止爪６ｆを保持片として補正リング６に仮保持され、補正リング６を第一長溝４ｃに対して位置調整する際に、補正リング６のスライド移動に追随して第一長溝４ｃ内を移動するように構成されている。
ここで、前記螺子受けプレート８には、補正リング６を固定する止め螺子７が螺合する螺子溝８ａが刻設されており、補正リング６は、螺子受けプレート８とのあいだに位置する第一長溝４ｃの開口片４ｅに対し、止め螺子７により緊締されるように設定されている。
【００１４】
前記係止爪６ｆが第一長溝４ｃに嵌入した状態では、補正リング６は係止爪６ｆにより周回り方向の係止がなされる状態となり、これによって、該係止部を支点とすることで、補正リング６を押さえる等の操作をすることなく弾性変形させることができ、補正リング６の一方端部６ａ側の半部を巻き胴４ｂに沿うべく押し付けるように変形させることにより、補正リング６は、図４（Ｂ）に示すように、一方端部６ａ側に形成される回り止め片６ｋが巻き胴５ｂの第二長溝４ｄに嵌入する。
続いて、補正リング６の他方端部６ｂ側を、巻き取りドラム４に沿わせるようにするが、このとき、他方端部６ｂは弾性変形しにくい形状であり、図４（Ｃ）に示すように、他方端部６ｂの係止突部６ｇの周回り方向先端面が、一方端部６ａの係止片６ｅの周回り方向先端面に当接する状態としたとき、他方端部６ｂ側の半部が巻き取りドラム４から離間した状態となっている。
【００１５】
この状態において、巻き取りドラム４から離間した補正リング６を、図５（Ａ）に示すように、補正リング６の下方部位から他方端部６ｂ側の半部に至る部位を巻き取りドラム４側に押し付けるようにすることで、他方端部６ｂ側の半部に形成された回り止め片６ｋが巻き胴４ｂに形成された第二長溝４ｄに下側から順次嵌合することになるが、このとき、巻き胴４ｂ外周長さよりも長く寸法設定される補正リング６は、図５（Ｂ）に示すように、他方端部６ｂの係止突部６ｇが一方端部６ａに乗り上げるオーバーラップ状態となる。そして、このオーバーラップ状態から、さらに他方端部６ｂ側の半部を巻き胴４ｂに押し付けるようにすることにより、図５（Ｃ）に示すように、係止突部６ｇが一方端部６ａに形成された係止凹部６ｄに落ち込み、これによって、係止突部６ｇと係止凹部６ｄとは周回り方向の抜け止めがなされた係止状態で連結されるように設定されている。
【００１６】
この状態となると、補正リング６は、両端部６ａ、６ｂが周回り方向の抜け止めがなされ、分断部Ｓが形成されたものでありながら、一体的なリング状体として巻き取りドラム４に外嵌し、しかも、分断されるようなことはなく、作業者が分断部Ｓを押さえる等の操作をすることなく、連結状態が保持される仮保持状態となるように構成されている。しかも、係止爪６ｆが第一長溝４ｃに嵌入していることで、周回り方向の回り止めに加えて、周回り方向の位置決めがなされた状態となっている。これによって、補正リング６は、軸芯方向にスライド移動させることにより、周回り方向の位置決めがなされた状態で軸芯方向の位置調整を適宜行うことができ、このとき、螺子受けプレート８も補正リング６と一体にスライド移動することは、前述した通りである。
そして、螺子受けプレート８とともに補正リング６の取り付け位置を調整後、補正リング６の分断部Ｓに、シャッターカーテン１を構成する最上端のスラット２を突き当てて、該最上端スラット２とともに巻き取りドラム４に止め螺子７を用いて固定するが、補正リング６は、他方端部６ｂの係止突部６ｇを係止凹部６ｄに落ち込ませて係止させた状態にすることにより、一方端部６ａに保持された螺子受けプレート８の螺子孔８ａと、係止突部６ｇに開設された貫通孔６ｈとが連通状態となっている。これによって、最上端スラット２に開設される螺子孔を、補正リング６の貫通孔６ｈと螺子受けプレート８の螺子溝８ａとに位置合せする作業が容易になり、この状態で、止め螺子７を螺子溝８ａに螺合緊締することにより、スラット２と補正リング６とが巻き取りドラム４に一体化されるように設定されている。
因みに、止め螺子７による他方端部６ｂの固定状態において、一方端部６ａは、止め螺子７により周回り方向、および、軸芯方向の位置決めがなされた他方端部６ｂを介して軸芯方向の位置決めがなされ、さらには、係止爪６ｆによる周回り方向の回り止めがなされた状態で固定され、持って、両端部６ａ、６ｂとが巻き取りドラム４に対して位置ズレを生じない状態での固定がなされるように構成されている。
【００１７】
このとき、前記最上端スラット２は、上縁部に形成される連結部２ａが段差部６ｉと他方端部６ｂとのあいだに形成される空隙部に落ち込んだ状態でセットされ、下縁部の連結部２ｂに隣接するスラット２が連結されるように設定されている。これによって、補正リング６は、他方端部６ｂから直接一方端部６ａに向かう周回り方向がシャッターカーテン１の巻き出し方向に設定され、スラット２（シャッターカーテン１）の自重に基づく負荷は、直接巻き取りドラム４に固定される他方端部６ｂに作用し、しかも、該作用方向が一方端部６ａ側、係止方向に向けて作用するうえ、一方端部６ａに大きな負荷が作用することもなく、他方端部６ｂと一方端部６ａとの係止が外れてしまうような不具合がないように構成されている。
さらに、最上端スラット２における外径と、補正リング６の段差部６ｉにおける外径とが略同寸法となるため、最上端スラット２に連装されるスラット２を巻き取りドラム４の傾斜面６ｊに沿って巻装したとき、一層巻目から二層巻目に移行する部位に大きな段差ができることがなく滑らかな円形状となり、これによって、巻き取りドラム４へのシャッターカーテン１の巻装状態がバランスのよいものになるように構成されている。
【００１８】
叙述の如く構成された本形態において、シャッターカーテン１が巻装される巻き取りドラム４には、段差部６ｉが形成された補正リング６が外嵌状に装着されているため、補正リング６に連結されたシャッターカーテン１を巻き取りドラム４にバランスよく巻装することができ、開閉操作の操作力が均一となって、円滑、かつ、静粛な建築用シャッターとすることができるが、この場合に、補正リング６は、分断部Ｓが形成されているため、補正リング６を巻き取りドラム４の軸芯方向一端側からスライド状に嵌め込むのではなく、分断部Ｓの一方端部６ａと他方端部６ｂとを弾性変形させることにより拡開させて、巻き取りドラム４の径方向外方から跨ぐようにしてあてがい、そのまま巻き取りドラム４に沿って組み込むことで、予め設定された取り付け位置に取り付けることができ、補正リング６の巻き取りドラム４への装着を容易に、しかも、作業性よく取り付けることができる。
そのうえ、このものでは、分断部Ｓである一方端部６ａと他方端部６ｂとには、それぞれ係止凹部６ｄと係止突部６ｇとが形成され、補正リング６を巻き取りドラム４に嵌着することにより、係止凹部６ｄと係止突部６ｇとが周回り方向の抜け止めがなされた状態で連結されるので、補正リング６が分断されたものでありながら、巻き取りドラム４への装着状態では分断部が連結されたリング状体とすることができ、分断された補正リング６をリング状体とするためにわざわざ分断部Ｓを押さえ付けたりするような操作を一切不要にできる。
【００１９】
さらに、このものでは、一方端部６ａを他方端部６ｂに抜け止め状に係止し、他方端部６ｂの係止突部６ｇのみを止め螺子７により巻き取りドラム４に固定する構成としたので、分断部Ｓが形成されて巻き取りドラム４への装着が容易にできるようにし、しかも、一箇所のみを固定する構成でありながら、一体的なリング状体として補正リング６を巻き取りドラムに固定することができ、固定作業を容易にすることができる。
【００２０】
また、補正リング６は、一方端部６ａに形成された係止爪６ｆを巻き取りドラム４の第一長溝４ｃに嵌入させることで、補正リング６の回り止め、および、周回り方向の位置決めができ、巻き取りドラム４への嵌着作業の作業性が一層向上するうえ、他方端部６ｂ一箇所の固定で、分断部Ｓの両端部における巻き取りドラム４の軸芯方向の位置決めがなされた状態で固定することができる。そのうえ、補正リング６がリング状体として一体に固定されるので、該補正リング６が巻き取られたシャッターカーテン１とともに巻きズレしてしまうような不具合を防止できる。
【００２１】
しかも、このものでは、補正リング６の回り止め、および、周回り方向の位置決めをする係止爪６ｆを、補正リング６を固定するために第一長溝４ｃに内装されている螺子受けプレート８を保持する保持片に兼用させているので、部材の兼用化を果すことができるとともに、補正リング６の取り付け位置を微調整する際に、補正リング６とともに螺子受けプレート８を移動させることができて、作業性の一層の改善が図れる。
【００２２】
そのうえ、補正リング６は、巻き取りドラム４に対する回り止めを、周回り方向適間隔を存して形成される回り止め片６ｋを第二長溝４ｄに嵌合させることで行っているので、巻き取りドラム４に対する周回り位置がずれてしまうような不具合を確実に防止できる。
【００２３】
さらに、このものでは、巻き取りドラム４に直接固定される他方端部６ｂ側に段差部６ｉが形成され、該他方端部６ｂから本体部６ｃを経由することなく直接一方端部６ａに向かう方向がシャッターカーテン１の巻き出し方向に設定されているので、シャッターカーテン１の自重が一方端部に掛ることがないうえ、他方端部６ｂに作用したとき、該作用方向が一方端部６ａと他方端部６ｂとの係止方向となって、補正リング６の分断部Ｓにおける連結を一層確実にすることができる。
【００２４】
また、補正リング６は、係止爪６ｆが形成されて予め巻き取りドラム４に係止する一方端部６ａ側に肉薄部が形成されているので、一方端部６ａ側を大きく弾性変形することができて、係止爪６ｆを巻き取りドラム４の第一長溝４ｃに嵌入させる作業がやりやすく、さらなる作業性の改善が図れる。
【００２５】
尚、本発明は前記実施の形態に限定されないことは勿論であって、図７〜１０に示す第二の実施の形態のように構成することができる。
前記第二の実施の形態において、巻き取りドラム４は、前記第一の実施の形態と同様の構成のものが用いられており、ここでの説明は省略する。
前記巻き取りドラム４に嵌着される補正リング９は、周回り方向二箇所に第一、第二分断部Ｓ１、Ｓ２が形成され、これによって、補正リング９は、図７（Ｂ）において左右に分割可能な一対の左右半部１０、１１により二つ割り状に形成されている。そして、これら分断部Ｓ１、Ｓ２のうち、第一分断部Ｓ１は本発明の分断部に相当しており、第二分断部Ｓ２は本発明の揺動部に相当するように構成されている。
前記左右半部１０、１１は、何れのものも樹脂材を一体型成形することにより形成されており、左半部１０には、第一分断部Ｓ１を構成する上側端部（本発明の一方端部に相当する）に係止凹部（本発明の係止受け部）１０ａが形成され、第二分断部Ｓ２を構成する下側端部に幅方向に延出する揺動軸１０ｂが一体形成されている。さらに、係止凹部１０ａの内周面には、巻き取りドラム４の第一長溝４ｃに嵌合する係止爪１０ｃが内径側に突出形成されており、円弧状の内周面には、巻き取りドラム４の第二長溝４ｄに嵌合して回り止めする回り止め片１０ｄが形成されていること等は前記第一の実施の形態と同様の構成である。
【００２６】
一方、補正リング９の右半部１１には、第一分断部Ｓ１を構成する上側端部（本発明の他方端部に相当する）に、前記係止凹部１０ａに嵌合する係止突部（本発明の係止部）１１ａが形成され、第二分断部Ｓ２を構成する下側端部に、前記揺動軸１０ｂに揺動自在に外嵌する筒部１１ｂが形成されている。ここで、前記揺動軸１０ｂは面取り部１０ｅが形成されている一方、筒部１１ｂには外周部を一部切り欠いた開口１１ｃが形成されており、該開口１１ｃを揺動軸１０ｂの面取り部１０ｅ部位に対向させることで、揺動軸１０ｂに外嵌可能となり、揺動自在な連結をするように構成されている。尚、本実施の形態では、左右半部１０、１１の第一分断部Ｓ１が大きく拡開する位置関係となることで、筒部１１ｂが、開口１１ｃから揺動軸１０ｂに外嵌することを許容するよう、開口１１ｃの切り欠き角度およびよび面取り部１０ｅの切り欠き角度の調整がなされている。さらに、右半部１１の円弧状の内周面には、巻き取りドラム４の第二長溝４ｄに嵌合して回り止めする回り止め片１１ｄが形成されていること等は前記第一の実施の形態と同様の構成である。
【００２７】
さらに、前記係止凹部１０ａの幅方向両側の溝側面には係合用の凹部１０ｆが形成され、係止突部１１ａの幅方向溝側面には係合用の突部１１ｅが形成されており、係止凹部１０ａに係止突部１１ａが嵌入したとき、これら係合用の凹部１０ｆと突部１１ｅとが係合することにより、これら係止凹部１０ａと係止突部１１ａとの抜け止め状の係止がなされるように設定されており、該構成が第二の実施の形態における係止手段に相当する。
また、これら左右半部１０、１１は、それぞれの内周面に、幅方向に延出する幅方向リブ１０ｇ、１１ｆ、周回り方向に延出する周回り方向リブ１０ｈ、１１ｇが形成されており、これによって、左右半部１０、１１の大きな弾性変形はしないように構成されている。
【００２８】
また、第二の実施の形態の補正リング９では、左半部１０、即ち、係止凹部１０ａ形成部側に段差部１０ｉと、該段差部１０ｉから次第に小径となる傾斜面１０ｊとが形成されている。
さらに、左半部の揺動軸１０ｂの幅方向両端部には、巻き取りドラム４の下端部に形成される第二長溝４ｄに嵌合する嵌合支持部１０ｋが形成されている。
【００２９】
つぎに、前記補正リング９を巻き取りドラム４に装着（外嵌）する手順を、図８、９の図面に基づいて説明する。
最初に、補正リング９の左半部１０のみを巻き取りドラム４の予め設定される長手方向（軸芯方向）任意の装着位置において径方向外方から嵌着させるが、このとき、図８（Ａ）に示すように、下端部の嵌合支持部１０ｋを巻き取りドラム４の下方に位置する第二長溝４ｄに摺動自在に押し付けるようにして支持せしめ、この状態から左半部を揺動させることで、図８（Ｂ）に示すように、係止凹部１０ａに形成される係止爪１０ｃを巻き胴４ｂの第一長溝４ｃに嵌入させる。このとき、係止爪１０ｃが第一長溝４ｃに予め内装された螺子受けプレート８の保持片となるよう、螺子受けプレート８の両端部を挟むように係止爪１０ｃを第一長溝４ｃに嵌合させるが、係止爪１０ｃを第一長溝に４ｃに嵌合させるには、左半部９を僅かに弾性変形させるようして巻き取りドラム４に押し付ける必要があり、このため、係止爪１０ｃは第一長溝４ｃ形成部位に至ることで強制的な落ち込み作動をし、もって、左半部９の組み込みがなされるように設定され、この状態となると、左半部１０は、係止爪１０ｃによる周回り方向の位置決めがなされた状態で巻き取りドラム４に仮固定される。
【００３０】
続いて、巻き取りドラム４に仮固定された状態の左半部１０に、第二分断部Ｓ２を介して右半部１１を連結するが、右半部１１は、図８（Ｃ）に示すように、第一分断部Ｓ１が大きく拡開する状態、即ち、右半部１１の開口１１ｃが揺動軸１０ｂ形成部位の接線方向を向く姿勢とすることで、図９（Ａ）に示すように、左半部１０の揺動軸１０ｂに外嵌して揺動自在な状態で連結される。
そして、この状態から右半部１１を、図９（Ｂ）に示すように、第二分断部Ｓ２における揺動に基づいて巻き取りドラム４の外周に沿うよう近付け、係止突部１１ａと係止凹部１０ａとがオーバーラップする状態で係止突部１１ａを係止凹部１０ａに強く押し込むことで、図９（Ｃ）に示すように、周回り方向の抜け止めがなされた状態で第一分断部Ｓ１の連結がなされるように構成されている。
【００３１】
そして、補正リング９の巻き取りドラム４への取り付け位置を調整後、補正リング９の第一分断部Ｓ１に、シャッターカーテンを構成する最上端のスラット１２を突き当てて、該最上端スラット１２とともに巻き取りドラム４に止め螺子７を用いて固定するが、このとき、係止突部１１ａに開設される止め螺子７用の貫通孔１１ｈと、螺子受けプレート８の螺子溝８ａとが連通しており、ここに、スラット１２の貫通孔を位置合せすることで、簡単に位置決めがなされた状態で止め螺子７による緊締ができるように構成されている。尚、前記スラット１２は、前記第一の実施の形態のスラットとは形状が異なり、上下方向中間部に傾斜面が形成されており、このため、補正リング９の段差部１０ｉ、第一分断部Ｓ１の形状、さらに補正リング９の外径は、それぞれスラット１２を巻装した状態で滑らかな円形状となって巻形のバランスがよくなるような形状に構成されており、第一の実施の形態とは異なるように設定されている。
【００３２】
このように、補正リング９は、第二分断部Ｓ２を揺動させることで第一分断部Ｓ１が大きく拡開し、これによって、第二の実施の形態のように補正リング９の外径を大きくするべく径方向の肉厚が厚くなり弾性変形が小さくなったものであっても、巻き取りドラム４の所定の取り付け位置に径方向外方からあてがって取り付けることができ、補正リング９の取り付け作業を簡略化し、作業性の向上を図ることが可能となる。
【００３３】
尚、本発明は前記実施の形態に限定されないことは勿論であって、第二の実施の形態のように、揺動部を分断可能な構成することも可能でるが、分断しない構成とすることもできる。分断しない構成としては、例えば、肉厚を薄くなるように切り欠いて、該切り欠き部における弾性変形に基づいて切り欠き部の両端部位を互いに揺動させるようにすることができ、これによって、分断部を拡開させて巻き取りドラムへの径方向外方からの装着ができる。
【図面の簡単な説明】
【００３４】
【図１】建築用シャッターの概略正面図である。
【図２】巻き取りドラムの全体正面図である。
【図３】図３（Ａ）、（Ｂ）はそれぞれ補正リングの正面図、側面図である。
【図４】図４（Ａ）、（Ｂ）、（Ｃ）はそれぞれ補正リングの取り付け状態を説明する側面図である。
【図５】図５（Ａ）、（Ｂ）、（Ｃ）はそれぞれ補正リングの取り付け状態を説明する側面図である。
【図６】巻き取りドラムにスラットを巻装した状態を説明する側面図である。
【図７】図７（Ａ）、（Ｂ）はそれぞれ第二の実施の形態における補正リングの正面図、側面図である。
【図８】図８（Ａ）、（Ｂ）、（Ｃ）はそれぞれ第二の実施の形態における補正リングの取り付け状態を説明する側面図である。
【図９】図９（Ａ）、（Ｂ）、（Ｃ）はそれぞれ第二の実施の形態における補正リングの取り付け状態を説明する側面図である。
【図１０】第二の実施の形態における巻き取りドラムにスラットを巻装した状態を説明する側面図である。
【符号の説明】
【００３５】
１    シャッターカーテン
２    スラット
４    巻き取りドラム
４ｃ    第一長溝
６    補正リング
６ａ    一方端部
６ｂ    他方端部
６ｄ    係止凹部
６ｆ    係止爪
６ｇ    係止突部
７    止め螺子
８    螺子受けプレート
【図１】
0004823653.tif 000002
【図２】
0004823653.tif 000003
【図３】
0004823653.tif 000004
【図４】
0004823653.tif 000005
【図５】
0004823653.tif 000006
【図６】
0004823653.tif 000007
【図７】
0004823653.tif 000008
【図８】
0004823653.tif 000009
【図９】
0004823653.tif 000010
【図１０】
0004823653.tif 000011